(57)【特許請求の範囲】
【請求項１】
液体を収容した軟質の容器に被着せしめて、内溶液を注出可能に固定する概略箱状をした外容器体であって、前記外容器体の頂壁部には、軟質の内部容器に設けらた注出用の口頸部を突出せしめて、該口頸部に液体注出具を取り付け可能にした開口部を設けて、該開口部の両側には、前記外容器体の頂壁部に装着可能な概略コの字状をした保持体の裏面に設けた係合片が係合して前記内部容器を注出可能に保持して固定する係合溝を設けると共に、前記外容器体の底部には壁面を設けずに底抜け状に形成して、前記液体を収容した軟質の内部容器に前記外容器体を底部から被着せしめて、前記係合溝にスライド可能に係合した前記保持体の端部と開口部の端部とにより前記内部容器の口頸部を挟着して一体となすように固定可能に形成されてなることを特徴とする液体を収容した軟質容器に被着する外容器体。
【請求項２】
前記頂壁部には、平坦面の中央部分に円形状をした孔の一端部に長孔状の切り欠きを設けた形状に開口部が形成されて、前記内部容器の口頸部を突出可能にしてなることを特徴とする請求項１に記載する液体を収容した容器に被着する外容器体。
【請求項３】
前記頂壁部には、前記平坦面に設けられた開口部の両側に前記保持体の裏面に設けた係合片を係合してスライド可能に保持する係合溝が平行に形成されてなることを特徴とする請求項１または請求項２に記載する液体を収容した軟質容器に被着する外容器体。
【請求項４】
前記頂壁部には、前記保持体の係合片を係合する前記係合溝の脇に逆装着防止片を設けると共に、前記一方の係合溝には片側にのみ逆装着防止片を立設して、他方の係合溝には両側に逆装着防止片を対向するように立設せしめて、前記保持体が逆向きに装着されると保持体の裏面に設けた突起片によりスライドを阻止するように形成されてなることを特徴とする請求項１に記載する液体を収容した軟質容器に被着する外容器体。
【請求項５】
前記保持体は、中央部の平坦面の両端に垂設する脚部からなる概略コの字状をして、前記平坦面には中央部分にＵ字状の切り欠き部が形成されると共に、裏面には前記係合溝にスライド可能に係合する係合片が突設されてなることを特徴とする請求項１に記載する液体を収容した軟質容器に被着する外容器体。
【請求項６】
前記保持体は、前記平坦面には中央部分にＵ字状の切り欠き部が形成されて、裏面には前記係合溝にスライド可能に係合する係合片が突設されると共に、該係合片の前方部には保持体が逆向きに装着された場合には、前記係合溝の両脇に立設する逆装着防止片に係止してスライド不能となる突起片が設けられて、逆装着を防止するようにしてなることを特徴とする請求項５に記載する液体を収容した軟質容器に被着する外容器体。
【請求項７】
前記保持体は、前記平板状の両側端に脚部を垂設してコの字状に形成して、容器本体の頂壁部を跨ぐように装着して前後にスライド可能に形成されてなることを特徴とする請求項６に記載する液体を収容した軟質容器に被着する外容器体。
【請求項８】
前記保持体は、前記中央にＵ字状の切り欠き部が形成された平板状の両側端に脚部を垂設してコの字状に形成して、頂壁部を跨ぐように形成された脚部の内側面に前記係合溝にスライド可能に係合する係合片が設けられてなることを特徴とする請求項１に記載する液体を収容した軟質容器に被着する外容器体。
【請求項９】
前記外容器体は、胴壁部に把手が設けられてなることを特徴とする請求項１に記載する液体を収容した軟質容器に被着する外容器体。
【請求項１０】
前記外容器体は、胴壁部に指先を挿入可能な開口部が設けられてなることを特徴とする請求項１に記載する液体を収容した軟質容器に被着する外容器体。
【発明の詳細な説明】
【０００１】
【発明の属する技術分野】
本願の発明は、軟質の熱可塑性合成樹脂からなる袋状その他の可撓性容器や紙製箱体の内部に合成樹脂製の袋体を内挿した容器、あるいは、合成樹脂フィルムやアルミニウム箔で内張りされた紙製容器等からなる軟質容器に、ジュースやその他の液体飲料、または、シャンプーやその他の洗剤、あるいは、化粧品等の各種液状物が充填されてなる軟質容器の外側に、合成樹脂や金属その他からなる硬質の容器を被着して保護すると共に、外観の見栄えをよくするようにした外容器に係わるもので、特に、外容器内に挿入した液状物が充填されている軟質容器に液体注出装置を取り付けて、内容器が破損することがないようにして、容器内の溶液を簡単に注出可能にした液体注出容器に関するものである。
【０００２】
【従来の技術】
従前には、ジュースやビールその他の各種の液体飲料は、ガラス製の容器に充填されたものが一般的であったが、これらの容器に充填されたものは重くて、破損し易いことから、近年は金属缶や合成樹脂製の中空容器からなる各種容器に充填したものが多用されるようになった。
しかし、上記アルミ等の金属容器や熱可塑性合成樹脂をブロー成形した容器等は、空の容器を移送する際に大きな容積を取り、また、容器の大きさや容量にも制限があり、更には、容器の製造コストの低減が難しい等の理由から、収容する内容物によっては大きな容量をして、価格の安い容器が求められる場合には、合成樹脂製の袋状をした容器や合成樹脂フィルムやアルミ箔等で内張りされた紙製容器、あるいは、袋状容器を内蔵した紙製容器等の各種容器が用いられることがある。
【０００３】
上記したような容器として用いられている袋状をした容器には、実開昭６２−１３４８２６号や実開昭６３−３４０７０号公報等に記載されるようなものが、また、紙製その他の箱体内に軟質の袋状容器を内蔵した、所謂、パウチ容器としては、実公昭４４−２０８７１号や実開昭５１−６１５１８号公報等に記載されるようなものが、内張りをした紙製容器としては、特開平７−１８７２３５号や特開平９−２０２３５７号公報等に記載されるような、所謂、バックインボックスと称する容器が、一般的に知られている。
【０００４】
上記した容器の中で、特開平７−１８７２３５号や特開平９−２０２３５７号公報等に記載されるようなバックインボックスの容器は、容器の構造がある程度の剛性を備えており、そのままの状態で使用して内溶液を注出したとしても、ある程度の範囲内であれば、容器が変形したり、破損して液漏れを生じたりするようなこともないし、また、外形上の考慮もなされた自立性を有するように形成されている。
しかし、実開昭６２−１３４８２６号や実開昭６３−３４０７０号公報等に記載されるような袋状をした容器は、安定性がなくてややもすると破損し易くて、自立性に欠けて見栄えの悪い点もあり、安定した状態で使用することが難しく、また、実公昭４４−２０８７１号や実開昭５１−６１５１８号公報等に記載されるようなパウチ状の紙容器等は、破損し易い点はやや改良されたが、容器が変形したり、見栄えがあまり良くない点があり、まだ改善の余地がある。
【０００５】
そこで、これらの液体を収容した袋状またはパウチ状の容器６０は、図１１に示すように、軟質の材料で作られた袋状の液体を収容する容器本体６１の開口端部６１ａに、吐出口と蓋部６３を有する注出具６４に導出管６２を設けたものが固着されていて、容器内の延設された導出管の先端部６２ｂから内容液を吸引して、吐出口６２ａから注出可能に構成されている。
そして、上記のように構成された軟質容器に、別体に成形された外容器を被せて該容器全体を覆うことにより、内部の軟質容器を保護すると共に容器に安定性を持たせて、また、外見の見栄えも良くするようにすることが考えられる。
そのような一つの例としては、実開平６−４９３５３号公報に記載されているように、軟質性の内部容器の外側に別体の外容器を被着して、内部容器の保護と自立性とを有するようにした保護容器が、従来から一般に知られている。
【０００６】
上記の考案は、図１１に示すような軟質材で形成された容器本体６１に各種の溶液が収容されて、上端部に吐出具６４が設けられてなる液体容器６０に対して、硬質の材料で成形された外容器６５を被着せしめることにより、外容器６５の内部に液体が収容された内部容器６０を挿入して一体に固定した液体容器に於いて、図１３に示されるように、前記内部液体容器６０の注出具６４を取り除いてから、代わりに液体注出装置６７を螺着して、内部の液体容器６０の内溶液を注出可能に形成した液体注出容器６８を構成したものである。
このように形成された注出装置を備えた液体注出容器６８は、軟質の内部液体容器６０が外容器６５により保護されているので破損するようなこともなくて、また、前記液体注出容器自体も安定した自立性を有することとなり、更に、外部容器６５は、内部容器の形状と直接に関係した形状に成形する必要もないので、ある程度はデザインその他で好みの形状に成形することができることから、外容器は外見の見栄えの良いものにすることができる。
【０００７】
しかし、上記のように構成された液体注出容器６８に於いては、図１２に示されたものからも分かるように、軟質の内部液体容器６０に被着せしめる硬質の外容器６５は、軟質の内部容器に対して上部から被せる上半部分６５ａと、軟質の内部容器の胴部を収容する下半部分６５ｂとに二分割された構造に形成されていて、内部に軟質容器を収容した外容器の下半部分６５ｂに上部から上半分６５ａを被せるようにして嵌合せしめて、箱状に形成された外容器に内部容器が装着された液体注出容器６８に構成されたものである。
そして、前記外容器の上半部分６５ａには注出装置６７を突出せしめる開口部６５ｃが設けられていて、また、下半部分６５ｂには胴壁に連接した底壁６５ｄが設けられていて、前記外容器は、上半分と下半分とが開口端部で接合されて一体になる構造をしている。
【０００８】
従って、上記のような構造をした外容器６５内に、注出装置６７が固着された軟質の内部容器６０を収容して、内溶液を注出可能にした液体注出容器６８を構成するには、前記外容器を上半部分６５ａと下半部分６５ｂとを分離してから、下半部分６５ｂに内部容器６０を収容した後で、内部容器６０の上端部に設けられた注出具６４の吐出口に螺着された蓋部６３が、外容器を上半部分６５ａの開口部から突出するように被せて、上半部分を下半部分に嵌合せしめて一体にしてから、前記蓋部を除いてから液体注出装置６７の注出ポンプを吐出口内に挿入して固定するか、あるいは、注出具６４を抜き取って交換した液体注出装置６７を螺着して固定しなければならない。
【０００９】
上記のようにして液体注出装置６７を装着して構成された液体注出容器６８に、一般的に用いられる液体注出装置としては、図１３に示すように、構造が簡単で、組み立てが容易である往復動式の注出ポンプが使用される。
上記の往復動式注出ポンプの一般的な構造は、容器の口頸部に螺着される蓋体からなる装着部材５２に注出ポンプを構成する大径のシリンダー５３と小径の管状ピストン５４とを垂設して、大径のシリンダー５３内に環状ピストン５５を摺動可能に設けて、前記シリンダー５３の先端部に加圧室Ａを形成するピストン棒５６と逆止弁５７を設けると共に、該心棒の先端部と環状ピストンとの間に圧縮バネ５８を設けて、上下動可能に保持された前記ピストンを付勢するように構成して、前記管状ピストン５４の上端部に吐出弁５９を有する噴射ヘッド５０を嵌着すると共に、前記大径シリンダー５３の底部に吸い上げ管５５を接続して、噴射ヘッド部５０の往復動操作により溶液を注出するようにしたものである。
【００１０】
上記したような液体注出容器は、噴射ヘッド部５０を手先で押圧するだけで注出できるので便利であるが、しかし、上記のような構造をした外容器６５に軟質の内部容器６０を収容して、液体注出装置６７を取り付けて注出可能に構成するには、組み立てるのにやや手間が掛かり過ぎて面倒な点があり、また、上記のように上下の二つに分割された容器を嵌合可能な構造にして外容器６５に成形するには、成形金型その他の面から製造コストを低減するのが難しい点がある。
そこで、液体を収容した軟質の容器に、別体に成形された外容器を被せて該容器全体を覆うことにより、内部の軟質容器を保護すると共に容器に安定した自立性を持たせて、その外見の見栄えを良くする液体注出装置を構成するのに、従来のような手間が掛からずに、もう少し簡単に組み立てることができるようにした外容器であって、且つ、そのような外容器を安価に製造することができて、見栄えもよくて、安定性がある構造をした外容器の出現が望まれる。
【００１１】
【発明が解決しようとする課題】
上記したような袋状またはパウチ状に形成された軟質容器に各種の溶液が収容された内部容器に、別体に成形された硬質の外容器を被せて前記軟質容器全体を覆って、内部の軟質容器を保護すると共に、容器に安定した自立性を付与するように形成した液体注出容器に於いて、前記外容器を外見の見栄えが良くて、外容器を軟質容器に容易に被着させることができるように簡単な構造にすると共に、該外容器を安価に製造することができるような構造にして、且つ、前記のような構造に形成した外容器を前記内部容器に被着して形成されてなる液体注出容器を手で把持し易い構造にしたものを提供することを目的とする。
【００１２】
【課題を解決するための手段】
本願発明は、上記したような課題を解決するために、袋状やパウチ状に形成された軟質容器に各種溶液が収容されてなる内部容器に被着して保護する硬質の外容器を、合成樹脂の射出成形により前記溶液が収容された軟質の内部容器を収容するのに適した形状に成形するのに、前記外容器の頂壁部には内部に挿入される液体を収容した内部容器の注出具の口頸部を突出せしめて装着可能な開口部を形成すると共に、該外容器の底部には壁面を設けずに底抜け状に形成した一体構造に外容器を形成して、前記内部容器に外容器を底部から被着可能に構成する。
【００１３】
そして、各種溶液が収容されてなる軟質の内部容器に対して上記のように形成した外容器を底部から被着せしめて、内部容器に装着、固定されてなる注出具の口頸部を外容器の頂壁部に設けた開口部から突出せしめて固定して、前記注出具の口頸部に注出ポンプを有する液体注出装置を装着して、袋状やパウチ状の軟質容器からなる内部容器と硬質の外容器が一体になるように固定されていて、内溶液を注出ポンプにより注出可能にした液体注出容器を構成する。
【００１４】
【発明の実施の形態】
本願発明の外容器は、その内部に各種の溶液が収容された軟質の内部容器を収容するのに適した形をした箱状の容器に合成樹脂の射出成形により成形して、該箱状をした容器の頂壁部には、内部に溶液を収容した内部容器の注出具の口頸部を突出せしめて装着できるように開口部を形成すると共に、該箱状をした容器の底部には、底壁を設けずに底抜け状に形成することにより、前記底部の開口部から内部容器を装着できるように一体構造をした外容器を形成する。
【００１５】
上記のように形成された外容器に、液体を収容した袋状やパウチ状の軟質容器の開口端部に吐出用の口頸部を有する注出具が密着状に固定された内部容器を、外容器の底部の開口部から挿入して、前記注出具の吐出口を前記頂壁の開口部から突出せしめた状態にして固定して、該注出具の口頸部に設けられたネジ蓋等を外してから、前記口頸部内に液体注出装置の注出ポンプ部分を挿入せしめて、該注出装置を前記注出具の口頸部に装着、固定して液体注出容器を構成する。
このように構成された液体注出容器は、液体注出装置の噴射ヘッド部を押圧することにより軟質の内容器に収容された各種溶液を吸い上げて、噴射ヘッドに設けた噴射ノズルから噴射せしめて注出する。
【００１６】
【実施例】
以下に、本願発明である変形し易い軟質容器を保護する外容器と、該外容器を用いてなる液体注出容器について、最適な一つの実施例に基づいて、図面を参照しつつ詳細に説明する。
本願発明の第一の実施例に係わる外容器１は、図４に示すように、熱可塑性合成樹脂の射出成形により成形された、底壁のない略直方形の箱状体をした外容器本体２と、該容器本体の平坦面と側壁部からなる頂壁部２ａに摺動可能に装着されるコの字形に成形された板状体からなる保持体３とから構成される。
そして、前記箱状体の頂壁部２ａの平坦面の中央部には、図５に見るように、内部に装着される軟質容器１１の上端部に設けられた注出具１２の吐出口を有する口頸部１５が突出する開口部４が形成されると共に、該開口部から突出した前記口頸部に装着される液体注出装置を固定するための保持体３を係合して摺動させる係合溝５が形成されている。
【００１７】
上記のようにして開口部４が形成された前記外容器本体２の頂壁部２ａには、図４に見るように、軟質の内部容器に設けられた吐出口を有する口頸部を突出可能にした円形状の孔が形成されて、該円形状の孔の両側には、内部容器の口頸部を固定する前記保持体３の裏面に設けられた係合片を係合するための係合溝５が、頂壁部２ａの前後方向に延びるように形成されている。
そして、前記外容器本体２の頂壁部２ａの平坦面と側壁面を跨ぐようにして装着される保持体３は、その裏面に設けられた係合片６を前記係合溝５に係合して、図２に示すように、前後方向へ摺動できるように装着されていて、開口部から突出した内容器の口頸部に装着された液体注出装置を前記保持体３により挟着して固定できるようになっている。
【００１８】
尚、上記した外容器本体２の頂壁部２ａに形成される開口部４を、円形状をした孔の周縁部に長孔状の切り欠き４ａを設けた形にしておけば、収容される内部容器１１に設けられた注出具１２が噴射ノズルを有する液体注出装置であっても、噴射ノズルが開口部の切り欠き４ａを通ってスムーズに突出させることができるので、内部容器１１は噴射ノズルを外さなくても簡単に装着して固定することができて、一層便利であるが、本願発明に於ける開口部は、このような形状をしたものに限定されるものではなくて、内部容器の構造や注出具、あるいは、装着される注出装置の形状等に合わせて、適当な形状のものにすることができる。
【００１９】
上記した内部容器の口頸部や液体注出装置を固定するための前記保持体３は、図４に見るように、箱状体をした外容器本体２の頂壁部の上に跨げるように中央部分の平坦面３ａの両端部に垂直面状の脚部３ｂが直角に垂設されたコの字形をした板状体からなり、該板状体の平坦面３ａには略Ｕ字状の切り欠き３ｃが設けられると共に、該平坦面３ａの裏側にはコ字状の切り欠き部３ｃを挟んだ位置に前記頂壁部の係合溝５に係合する係合片６が突設されている。
このように形状をした液体注出装置を固定するための保持体３は、前記外容器本体２の上部に跨がるようにして頂壁部２ａに設けられた係合溝５に係合片６が嵌合せしめられてスライド可能に形成されて、軟質の内部容器に被着可能となした外容器１が構成される。
【００２０】
上記のように構成された外容器１は、図５に示すように、内部に各種の溶液が充填された注出具１２を備えた軟質の容器１１に対して、上方から被せるようにして被着されると、前記注出具１２の先端部が外容器１の開口部４から突出した状態となって、軟質容器１１は外容器１内に挿入される。
このようにして外容器１内に挿入された軟質の容器１１は、図６に示したように、外容器１の開口部４から注出具１２の口頸部１５が突出した状態になるが、前記注出具の口頸部の外周面には、成形工程で容器を移送したり、内容液を充填したりする際に、容器を把持したり、位置決めしたりするために設けられた複数の鍔部１３が、丁度外容器１の頂壁部の開口部４の部分に突出するので、外容器１の頂壁部２ａに設けられている前記保持体３を前方へスライドさせると、前記保持体３のＵ字状をした切り欠き部３ｃの周縁部が前記鍔部１３の間に押し込まれて、外容器１の開口部４に挟着されるので、軟質の内容器１１は外容器１に固定されて一体になる。
【００２１】
このようにして外容器１に内部容器１１を挿入して一体に固定したら、内部容器１１の吸い上げ管（導出管）１６を有する注出具１２の口頸部分１５に螺着されている蓋体１４を取り外して、液体注出装置７の注出ポンプ部分を挿入するか、あるいは、前記注出具全体を引き抜いて、代わりに液体注出装置７の注出ポンプ部分を装着せしめるかして、図１に示されるように、前記口頸部部分１５に噴射ヘッド部９を有する液体注出装置の円筒状をした蓋部８を螺着して液体注出装置７を固定することにより、液体を収容した軟質の内部容器１１が保護用の外容器１に収容されて、注出ポンプ装置を備えた液体注出容器が構成される。
【００２２】
上記のように構成された液体注出容器に装着される注出ポンプ装置の基本的な構造は、図１４に示すものと同じ往復動式の注出ポンプが一般的であるから、詳しい説明は省略するが、上記のような構成をした液体注出容器に於いては、図３に示すように、液体注出装置７の噴射ヘッド部９を蓋部８から外すことにより、シリンダー内部に設けたスプリングにより上下方向に往復動可能となしてから、前記注出装置７の噴射ヘッド部９を押圧して注出操作を行うと、ピストン９ｂが往復動して液体注出装置７のシリンダー部が加圧されるので、シリンダーの内部にあった溶液は、噴射ヘッド部９のノズル９ａから噴射して注出される。
従って、上記のように構成された液体注出容器にあっては、軟質容器からなる溶液を収容した内部容器１１は、硬質の外容器１で覆われているので、変形したり、破損することもなく、また、自立性があるので、テーブルや洗面台等の色々な場所に置いて簡単に使用することができる。
【００２３】
そして、前記した実施例に於いては、軟質の内部容器を収容した底壁のない略直方形の箱状体をした外容器本体２の頂壁部２ａに跨がった状態でスライドする垂直な両脚部３ｂと中央部分の平坦面３ａとで形成されるコの字形をした板状体からなる保持体３を、その中央平坦面３ａの裏面に突設した係合片６を外容器の頂壁部２ａの平坦面に設けた係合溝５にスライド可能に係合せしめることにより、内部容器に設けられた液体注出装置を前記保持体３により挟着して固定できるような構造にしたものであったが、本願の発明は、このような構造をしたものに限定する必要はない。
【００２４】
例えば、外容器１の上部に跨がった前記した垂直な両脚部３ｂと中央部分の平坦面３ａからなるコの字形をした保持体３を、頂壁部２ａの平坦面に係合させるようにせずに、前記保持体３の垂直な両脚部３ｂの内側に係合片をを形成して、図４に点線で示すように、頂壁部２ａの側壁面に設けた係合溝５ａにスライド可能に係合させても、内部容器に設けられた液体注出装置を挟着して外容器に一体に固定することもできる。
また、上記実施例に於いては、液体注出容器を構成する外容器の頂壁部の開口部に往復動式の注出ポンプからなる液体注出装置を設けたが、本願の発明は、このような注出装置に限らず、トリガー式の液体注出装置であってもよいし、開閉蓋を有するもっと簡単な液体注出具であってもよい。
【００２５】
上記したような構造にした本願発明の外容器は、液体を収容した軟質性の容器を保護すると共、該容器内の溶液を注出する注出装置を簡単に装着できて、非常に便利ではあるが、しかし、外容器本体の頂壁部に保持体をスライド可能に装着する際に、誤って保持体を逆向きに装着することがあり、そのような場合には、外容器内に収容された内部容器が安定した状態で固定されずに不都合を生ずることがある。
【００２６】
そこで、誤って保持体が逆向きに装着されるようなことがないようにするために、本願発明に於いては、図８に示すように、箱状体をした外容器本体３２の頂壁部３２ａにコの字形をした保持体３３をスライド可能に設けるために平行に形成された一対の係合溝３５の脇に逆装着防止片を設けて、逆向きに装着されるのを防止するようにしたもので、一方には二個の逆装着防止片３８を、他方には一個の逆装着防止片３８をそれぞれ立設して、また、前記保持体３３には、裏側に設けられた外容器の頂壁部の係合溝に係合する係合片３６の前方に逆装着防止用の突起片３７を突設して、更に、保持体３３の両脚部３３ｂの外面には装着し易いように複数の滑り止め用のリブ３３ｄを設けている。
【００２７】
図７に示す実施例に於いては、上記した逆装着防止片３８は、保持体３３をスライド可能に係合する一方の係合溝３５には、その溝を挟んで両脇に二つの逆装着防止片３８が立設されていて、他方の係合溝３５には、溝の内側に一つの逆装着防止片３８が立設されていて、更に、前記係合溝３５の内側に立設した逆装着防止片３８の外側面には、前記保持体３３が戻るのを防止するリブ３８ｄが設けられている。
そして、上記した保持体３３は、図８に示すように、中央部の平坦面３３ａの裏面に設けられた外容器の頂壁部の係合溝３５に係合する一対の係合片３６のうち、逆装着防止片３８が両脇に立設した係合溝３５に係合する係合片３６の前方内側には逆装着防止用の突起片３７が突設されて、また、逆装着防止片３８が内側に一個だけ立設した係合溝３５に係合する係合片３６の前方外側には逆装着防止用の突起片３７が突設されている。
【００２８】
このように形成された保持体３３が、図７に示すような正しい向きに装着される場合には、保持体は外容器の頂壁部を跨いだ状態で、その係合片３６の先端部が両側の係合溝３５にそれぞれ係合して係止されると共に、逆装着防止用の突起片３７は係合溝脇の頂壁部に密着してスライド可能に装着される。
しかし、前記保持体３３が、図７に示すのとは反対の逆向きに装着される場合には、保持体は外容器の頂壁部を跨いだ状態で、その係合片３６の先端部が両側の係合溝３５にそれぞれ係合して係止されるが、スライドさせようとしても、逆装着防止用の突起片３７が係合溝３５の脇に立設した逆装着防止片３８に引っ掛かって、スライドさせることが不可能となる。
【００２９】
尚、本願発明の液体注出容器に於いては、図１０に示すように、外容器本体２の側壁部に把手１０を付けることにより、該注出容器が非常に持ち易くなるので、少々大きな容器であっても使用する際に色々な場所に持ち運びするのが容易で、且つ、便利になる。
また、外容器本体２に図９に示すような把手を設けたものは、成形がやや複雑になり、また、把手部分が外側へ余分に突出しているので、外容積がやや大きくなって、収納するのに場所をとることから、図１０に示すように、外容器本体２の胴壁部に指先が掛かるように切り欠き部１０ａを形成することにより、把手の代わりとして容易に持ち運びできるようにすると、収納場所も取らなくなり、また、積み重ねて収納することができるようにもなり、梱包が楽になると共に安価に製造することができる。
【００３０】
【発明の効果】
以上説明したように、本願の発明は、袋状やパウチ状をした軟質容器を収容する外容器には底部を設けていないので、外容器を軟質容器の上部から被せるだけで被着できるように箱体状をした簡単な構造に形成したので、ある程度の範囲内の形状をした各種の軟質容器からなる内部容器であれば、外容器を被着して簡単に固定して一体にすることができて、安全で取扱いが非常に容易となり、また、外容器は、熱可塑性合成樹脂の射出成形により簡単に成形することができるので、生産性がよくて、安価に製造することができる。
また、外容器の装着部に逆セット防止片を設けることにより確実に装着することができて、更に、外容器に把持部を設けることにより、大きな容器であっても、持ち運びするのが容易となる。
【図面の簡単な説明】
【図１】本願の第一発明の外容器を内部容器に被着した液体注出容器を示す側面図である。
【図２】図１に示す液体注出容器の平面図である。
【図３】本願発明の外容器に内容器を収容した容器に液体注出装置を設けた側面図である。
【図４】本願の第一発明の外容器を示す斜視図である。
【図５】本願の第一発明の外容器を内部容器に被着する説明の断面図である。
【図６】本願の第一発明の外容器を示す斜視図である。
【図７】本願発明の外容器に逆装着防止を設けた第三発明の側面図である。
【図８】図４に示す外容器に装着する保持体の断面図（ａ）と斜視図（ｂ）である。
【図９】本願発明の外容器に把手を設けた液体注出容器の側面図である。
【図１０】本願発明の外容器の胴壁部に把持部を設けた液体注出容器の側面図である。
【図１１】溶液を収容した軟質容器を示す斜視図である。
【図１２】従来の外容器を軟質容器に被着した液体注出容器を示す斜視図である。
【図１３】液体注出容器に用いる一般的な往復動式の注出ポンプを示す断面図である。
【符号の説明】
１．  外容器
２．  外容器本体
２ａ．頂壁部
３．  保持体
３ａ．平坦面
３ｂ．脚部
３ｃ．切り欠き部
４．  開口部
５．  係合溝
６．  係合片
７．  注出装置
８．  蓋部
９．  噴射ヘッド
【図１】
0004171822.tif 000002
【図２】
0004171822.tif 000003
【図３】
0004171822.tif 000004
【図４】
0004171822.tif 000005
【図５】
0004171822.tif 000006
【図６】
0004171822.tif 000007
【図７】
0004171822.tif 000008
【図８】
0004171822.tif 000009
【図９】
0004171822.tif 000010
【図１０】
0004171822.tif 000011
【図１１】
0004171822.tif 000012
【図１２】
0004171822.tif 000013
【図１３】
0004171822.tif 000014